(57)【要約】【課題】框の幅に関わらず障子の強度を十分に向上できる。【解決手段】ドア１は枠体内に障子３を開閉可能に納めた。吊元側の縦枠と吊元側の縦框１２とに丁番１８を連結して障子３を開閉可能にした。金属上枠及び金属上框１０ａをフリクションアーム２７で開閉可能に連結した。障子３の吊元側の金属縦框１２ａ及び金属上框１０ａの内部に略Ｌ字形状の補強板３３を収納して補強した。補強板３３は金属縦框１２ａ内の縦框側補強板３３ａ及びその上側の拡幅部補強板３３ｃと金属上框１０ａ内の上框側補強板３３ｄとを有する略Ｌ字形状とした。補強板３３を介してコーナー部の吊元側の金属縦框１２ａ及び金属上框１０ａの接合部をねじ固定した。補強板３３は更に丁番１８の第二取付板２１とフリクションアーム２７の固定板２８とに固定して一体化した。ドア１は障子３の吊元側の縦框と上下框が枠体内に隠れる隠し框構造とした。【選択図】図５
2017179807.tif 000002
【特許請求の範囲】
【請求項１】
四角形枠状に形成された枠体内に障子を開閉可能に納めた建具において、
前記枠体の吊元側の縦枠と前記障子の吊元側の縦框とを連結した丁番と、
前記枠体の横枠及び前記障子の横框を連結した開閉補助具と、
前記障子の吊元側の縦框及び前記横框の接合部にねじで共締めして連結した補強部材とを備え、
前記補強部材は前記丁番と前記フリクションアームの少なくとも一方にも連結されていることを特徴とする建具。
【請求項２】
前記開閉補助具は屋内側から見て前記横枠及び前記横框の間に隠蔽されている請求項１に記載された建具。
【請求項３】
前記建具は、屋内側から見て前記障子の縦框と上下の前記横框の少なくともいずれかが前記枠体内に隠れる隠し框構造である請求項１または２に記載された建具。
【発明の詳細な説明】
【技術分野】
【０００１】
本発明は、枠体内に納めた開閉可能な障子に補強部材を設けた建具に関する。
【背景技術】
【０００２】
従来、特許文献１に記載された建具では、四角形枠状に形成された枠体の各角部に設けた接合部は留め接合と溶着接合されている。この枠体の内部には障子が開閉可能に納められ、この障子は樹脂形材が四方に框組みされて内部にガラスが嵌め込まれ、各框の角部の接合部は留め接合と溶着接合されている。しかも、上框と下框のホロー部内には金属製裏板が固定されている。
【０００３】
また、枠体と障子との間で、金属製裏板の位置に対応する上框と下框には障子を開閉可能に支持するフリクションアームが取り付けられている。上下のフリクションアームは上枠と上框との間に、そして下枠と下框との間にそれぞれ連結されている。
【先行技術文献】
【特許文献】
【０００４】
【特許文献１】特開２０００−１９２７３２号公報
【発明の概要】
【発明が解決しようとする課題】
【０００５】
しかしながら、上述した構成を備えた建具の障子を丁番等で開閉可能とし、上下框と縦框との接合部をネジ等で固定した場合、接合部の強度が小さく障子の剛性が小さい。
特に、建具を屋内側から見て上下框や左右の縦框が枠体に隠れる隠し框構造にした場合、枠体に隠れる上下框や縦框の見付け方向の幅が小さくなるので建具の剛性がより小さくなる。この場合、縦框や上下框の内部に補強用の裏板を取り付けたとしても剛性は小さく、突風等で框体が変形する可能性もあった。
【０００６】
本発明は、このような課題に鑑みてなされたものであって、框の幅に関わらず障子の強度を向上できるようにした建具を提供することを目的とする。
【課題を解決するための手段】
【０００７】
本発明による建具は、四角形枠状に形成された枠体内に障子を開閉可能に納めた建具において、枠体の吊元側の縦枠と障子の吊元側の縦框とを連結する丁番と、枠体の横枠及び障子の横框を連結した開閉補助具と、障子の吊元側の縦框及び横框の接合部にねじで共締めして連結した補強部材とを備え、補強部材は丁番とフリクションアームの少なくとも一方にも連結されていることを特徴とする。
本発明によれば、補強部材によって障子の吊元側の縦框及び横框の連結部を共締め固定して補強すると共に、この補強部材を更に丁番と開閉補助具の一方または両方に延ばして連結させて一体化することで框体の剛性と強度が向上する。
【０００８】
また、開閉補助具は屋内側から見て横枠及び横框の間に隠蔽されていてもよく、見栄えが良い。
また、建具は、屋内側から見て障子の縦框と上下の横框の少なくともいずれかが枠体内に隠れる隠し框構造であってもよい。
本発明による建具は、障子を隠し框構造に形成したため、枠体に隠れる上下の横框や縦框の見付け方向の幅が狭くなったとしても、框体の内部に設置された補強部材が吊元側の縦框及び横框の接合部だけでなく、縦框に設けた丁番や横框に設けたフリクションアーム等にも連結されて強度を向上できるため、框体の強度低下を抑制できる。
【発明の効果】
【０００９】
本発明による建具では、補強部材を障子の吊元側の縦框と上框との接合部に連結すると共に丁番とフリクションアームの一方または両方にも連結することで一体化できるため、補強部材による框体の連結強度が向上して高い剛性が得られる。
【図面の簡単な説明】
【００１０】
【図１】本発明の実施形態によるドアを屋内側から見た要部正面図である。
【図２】図１に示すドアの要部縦断面図である。
【図３】図１に示すドアの要部水平断面図である。
【図４】障子の吊元側縦框と縦枠に固定した丁番を示す説明図である。
【図５】（ａ）は障子の吊元側縦框と上框の接合部における補強板の固定構造を示す要部説明図と上框の断面図、（ｂ）はフリクションアームの上框に取り付ける部分の要部平面図である。
【図６】図５に示す障子の縦框と上框の接合部の要部平面図である。
【発明を実施するための形態】
【００１１】
以下、本発明の実施形態による建具の一例としてドアについて添付図面により説明する。
図１に示す実施形態によるドア１は屋内側から見た正面図である。図２はその縦断面図、図３は水平断面図である。図１乃至図３に示すように本実施形態によるドア１は建物の躯体に形成された開口部に設置された枠体２と、枠体２内に納められていて開閉可能な障子３とを備えている。このドア１はスイング式ドアであり、例えば勝手口ドア等として用いられる複合建具である。
ドア１の枠体２は、上枠５と下枠６と左右の縦枠７、８とで四角形枠状に形成されている。枠体２内の扉部をなす障子３は上框１０と下框１１と左右の縦框１２，１３とで四角形枠状に形成された框体１４を備えている。框体１４の内部には１または複数層のガラスパネル１５が納められている。
【００１２】
図２及び図３において、枠体２の上枠５は屋外側の金属上枠５ａと屋内側の樹脂上枠５ｂとで構成され、下枠６は屋外側の金属下枠６ａと屋内側の樹脂下枠６ｂとで構成されている。また、左右の縦枠７，８は屋外側の金属縦枠７ａ，８ａと屋内側の樹脂縦枠７ｂ、８ｂとでそれぞれ構成されている。
また、障子３において、上框１０は屋外側の金属上框１０ａと屋内側の樹脂上框１０ｂとで構成され、下框１１は屋外側の金属下框１１ａと屋内側の樹脂下框１１ｂとで構成されている。また、左右の縦框１２，１３は屋外側の金属縦框１２ａ，１３ａと屋内側の樹脂縦框１２ｂ、１３ｂとでそれぞれ構成されている。障子３の框体１４の内部に納められたガラスパネル１５は例えば２層パネルで構成されている。
【００１３】
図２に示す上框１０では金属上框１０ａのパネル受け溝１０ｃが断面略Ｕ字状に形成され、ガラスパネル１５はその両面に設けたシリコンゴム等のシール部材１６、或いは接着剤等によって強固に固定されている。同様にガラスパネル１５は下框１１、左右の縦框１２，１３にそれぞれ設けたパネル受け溝１１ｃ、１２ｃ、１３ｃとシール部材１６によって強固に固定されている。
図１乃至図３に示すように、ドア１の例えば上框１０及び下框１１と吊元側の縦框１２が屋内側において上枠５の樹脂上枠５ｂ、下枠６の樹脂下枠６ｂ、そして吊元側の縦枠７の樹脂縦枠７ｂにそれぞれ隠れた隠し框構造を有している。そのため、上框１０、下框１１、吊元側の縦框１２の見付け方向の幅が戸先側の縦框１３の幅より小さく形成されている。これら上框１０、下框１１、縦框１２では、ガラスパネル１５の呑込み量が例えば１５ｍｍと大きくても、シール部材１６によってガラスパネル１５と一体に形成したため框体１４を強固に固定できる。そのため、障子３が強風等を受けた場合にも框体１４が歪むことをガラスパネル１５で防止できる。
【００１４】
また、図３及び図４において、吊元側の縦枠７と障子３の縦框１２との間には丁番１８が上下方向に所定間隔で複数固定されている。丁番１８は軸部１９の一方の第一取付板２０が金属縦枠７ａにボルト２２で固定され、他方の第二取付板２１が金属縦框１２ａにボルト２２で固定されている。図３に示す例では、障子３の閉鎖状態で丁番１８を取り付けた吊元側の金属縦枠７ａと障子３の金属縦框１２ａとがほぼ平行に近接しているがテーパ状に離間していてもよい。
丁番１８を取り付けた吊元側の縦枠７と縦框１２との間に指等が挟まれないように、金属縦框１２ａに形成された第二取付板２１を固定した縦框ホロー部２３の屋内側端部に凸部２３ａが形成され、金属縦枠７ａに固定された第一ガード部材２４と当接している。更に、縦枠７の樹脂縦枠７ｂにはその屋内側に障子３の樹脂縦框１２ｂに向けて第二ガード部材２５が取り付けられて、指等の進入を防いでいる。
【００１５】
障子３において、戸先側の縦框１３にはその高さ方向中央部の両面にハンドル２６が取り付けられている。ハンドル２６を回転操作することでグレモン錠の上下両側で図示しないロッドを上下方向に動作させて上枠５と下枠６に進退させてロックとその解除が行われる。
また、図２及び図５において、枠体２の金属上枠５ａと障子３の金属上框１０ａには障子３の開閉操作を補助するフリクションアーム２７が取り付けられている。
図５（ａ）は障子３の金属上框１０ａと吊元側の金属縦框１２ａの固定構造を示す要部断面図である。金属上框１０ａの上面にはフリクションアーム２７の固定板２８がボルト２２で固定されており、固定板２８の上面には回動軸２９が固定され、回動軸２９には回動アーム３０の一端が回動可能に支持されている。回動アーム３０の他端側は上枠５の金属上枠５ａに固定された図示しない枠体側固定板及び回動軸に回動可能に支持されている。
【００１６】
図５及び図６において、障子３の吊元側の金属縦框１２ａと金属上框１０ａは図２及び図３に示すようにそれぞれ中空の筒状に形成されている。金属縦框１２ａと金属上框１０ａの内部にはその長手方向に沿って例えば板状で略Ｌ字状の補強板３３が補強部材として収納されている。補強板３３は例えばスチールやアルミ合金等の金属で形成されている。
補強板３３は、金属縦框１２ａ内では縦框側補強板３３ａがその長手方向に沿って延びており、その上部は段部３３ｂを介して拡幅された拡幅部補強板３３ｃが形成されている。拡幅部補強板３３ｃは金属縦框１２ａの壁面を介して金属上框１０ａの小口に当接している。拡幅部補強板３３ｃの一部は上框側補強板３３ｄとして略直角に折り曲げられて金属上框１０ａ内を延びている。
そして、框体１４の吊元側上部コーナー部において、拡幅部補強板３３ｃを介して金属縦框１２ａの壁面と金属上框１０ａの小口のボルト受けとが障子組立用のネジ２２で共締めして一体に固定されている(図４参照)。金属縦框１２ａの壁面と金属上框１０ａの接合部は補強板３３の拡幅部補強板３３ｃを介して外側からねじ固定することでその強度が高い。
【００１７】
また、図５において、補強板３３の縦框側補強板３３ａは、丁番１８の第二取付板２１と金属縦框１２ａの壁面と重ねて外側からねじ２２によって一体に固定されている。丁番１８は金属縦框１２ａの上下方向に沿って複数固定されており、縦框側補強板３３ａは全ての丁番１８の第二取付板２１と一体にねじ固定されていることが好ましいが、上部の丁番１８及び中間の丁番１８と固定されているだけでもよい。そのため、金属縦框１２ａと丁番１８の第二取付板２１との取り付け部は補強板３３によって補強されている。
【００１８】
また、補強板３３の上框側補強板３３ｄはフリクションアーム２７の固定板２８及び金属上框１０ａと重ねて外側からねじ２２によって一体に固定されている。
そのため、補強板３３は縦框側補強板３３ａと拡幅部補強板３３ｃと上框側補強板３３ｄでそれぞれ丁番１８の第二取付板２１、コーナー部における金属縦框１２ａ及び金属上框１０ａの接合部、フリクションアーム２７の固定板２８とそれぞれボルト２２で締結しているため、１枚の補強部材３８によって３つの部分を一体に固定してその強度をより補強できる。しかも、フリクションアーム２７は屋内側から見て上枠５と上框１０の間に隠蔽されているため、見栄えが良い。
【００１９】
上述のように本実施形態によるドア１は、障子３の互いに接合した吊元側の金属縦框１２ａ及び金属上框１０ａ内に補強板３３を設置して、金属縦框１２ａ及び金属上框１０ａの接合部、丁番１８の第二取付板２１、フリクションアーム２７の固定板２８とそれぞれ連結固定して一体化できて障子３の剛性と強度を向上できる。そのため、障子３が隠し框構造で上框１０及び下框１１及び吊元側の縦框１２の見付け方向の幅が小さくても高強度が得られ、障子３の開放状態で突風等によって変形することを防止できる。
【００２０】
なお、本発明によるドア１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００２１】
上述した実施形態では、補強板３３によってコーナー部における金属縦框１２ａ及び金属上框１０ａの接合部、丁番１８の第二取付板２１、フリクションアーム２７の固定板２８をそれぞれ一体に固定したが、本発明はこのような構成に限定されない。補強板３３によって、最も強度の小さい金属縦框１２ａ及び金属上框１０ａの接合部を固定して補強すると共に、丁番１８の第二取付板２１とフリクションアーム２７の固定板２８の一方のみを連結して固定した構造であってもよい。この場合でも、２カ所で２つの部材を連結固定することで、障子３の剛性と強度を向上できる。
【００２２】
また、上述した実施形態では、障子３の上框１０、下框１１、吊元側の縦框１２を隠し框構造にしたが、これに代えて上框１０、下框１１、吊元側の縦框１２の少なくとも１つを隠し框構造にしてもよい。或いは、隠し框構造を採用しなくてもよい。いずれの場合でも補強板３３によって一体化することで障子３の剛性と強度を向上できる。
なお、上述した障子３では、吊元側の縦框１２と上框１０との接合構造について説明したが、これに代えて縦框１２と下框１１との接合構造において、内部に略Ｌ字状の補強板３３を設置して同様にコーナー部における金属縦框１２ａ及び金属下框１１ａの接合部、丁番１８の第二取付板２１、下框１１と下枠６の間に設けたフリクションアーム２７の固定板２８をそれぞれ補強板３３に連結固定して一体化してもよい。この場合も、フリクションアーム２７は屋内側から見て下枠６と下框１１の間に隠蔽されていることが好ましい。
【００２３】
また、上枠５と下枠６は横枠、上框１０と下框１１は横框に含まれる。なお、上述したフリクションアーム２７に代えてドアクローザを用いてもよく、これらは開閉補助具に含まれる。
なお、本発明の実施形態ではドア１をアルミ合金等の金属部材と樹脂部材からなる複合建具としたが、これに代えてアルミ合金等の金属部材からなるドアや樹脂部材からなるドア等の建具にも適用できる。
また、本発明の実施形態では勝手口ドア等のスイング式のドア１について説明したが、本発明はこのようなドア１に限定されることなく縦辷り出し窓や横辷り出し窓等の各種の建具にも適用できる。また、建具の枠体に納められる障子は扉部だけでなく窓等の各種の障子を含む。
【符号の説明】
【００２４】
１  ドア
２  枠体
３  障子
１０  上框
１０ａ  金属上框
１１  下框
１１ａ  金属下框
１２  縦框
１２ａ  金属縦框
１５  ガラスパネル
１８  丁番
２０  第一取付板
２１  第二取付板
２７  フリクションアーム
２８  固定板
３３  補強板
３３ａ  縦框側補強板
３３ｃ  拡幅部補強板
３３ｄ  上框側補強板
【図１】
2017179807.tif 000003
【図２】
2017179807.tif 000004
【図３】
2017179807.tif 000005
【図４】
2017179807.tif 000006
【図５】
2017179807.tif 000007
【図６】
2017179807.tif 000008